(57)【要約】      （修正有）【課題】パンチングパネルの無いフェンスを、透孔で図柄が形成されたパンチングパネルで装飾したフェンスとすることができるフェンス用パネルを提供する。【解決手段】フェンス用パネル１は、既存のフェンス２０に取付可能なメタル製パネルであって、該メタル製パネルは透孔によって図柄３が形成されたパンチングパネル２で、フェンス２０に取り付ける取付手段７を備えて大略構成されている。透孔で形成する図柄３は、円状、角状、ハート状および花びら状、等の透孔の配列で模様を形成したり、動物、植物、建造物、等を模した透孔で図柄を形成する。【選択図】図４
0003167290.tif 000002
【実用新案登録請求の範囲】
【請求項１】
既存のフェンスに取付可能なメタル製パネルであって、該メタル製パネルは透孔によって図柄が形成されたパンチングパネルで、フェンスに取り付ける取付手段を備えることを特徴とするフェンス用パネル。
【請求項２】
前記既存のフェンスは、所定間隔で支柱が立設され、該支柱間の上方に上横桟が、下方に下横桟が架設され、該上下横桟間に適宜の間隔で縦桟が設けられた構成であり、
前記パンチングパネルには、左右の両端が略直角に折曲され、該フェンスに取り付けたとき該フェンスの縦桟の側面に当接して位置を保持する保持片に形成されていることを特徴とする請求項１記載のフェンス用パネル。
【請求項３】
前記既存のフェンスは、所定間隔で支柱が立設され、該支柱間の上方に上横桟が、下方に下横桟が架設され、該上下横桟間に適宜の間隔で縦桟が設けられた構成であり、
前記パンチングパネルには、裏面に該フェンスに取り付けると該フェンスの縦桟に嵌合する凹条が、フェンスの縦桟に対応して縦方向に設けられていることを特徴とする請求項１または２記載のフェンス用パネル。
【請求項４】
前記既存のフェンスは、所定間隔で支柱が立設され、該支柱間の上方に上横桟が、下方に下横桟が架設され、該上下横桟間に適宜の間隔で縦桟が設けられた構成であり、
前記パンチングパネルには、その上下の両端に形成された固定片と、該固定片との間で前記フェンスの上下横桟を挟持する取付金具とよりなる取付手段が設けられ、パンチングパネルは、固定片を前記フェンスの上下横桟に位置させてフェンスにセットし、取付金具との間にフェンスの上下横桟を位置させ、固定片に取付金具をネジ止めすることによって上下横桟にパンチングパネルを固定することを特徴とする請求項１乃至３のいずれか１項に記載のフェンス用パネル。
【請求項５】
前記既存のフェンスは、所定間隔で支柱が立設され、該支柱間の上方に上横桟が、下方に下横桟が架設され、該上下横桟間に適宜の間隔で縦桟が設けられた構成であり、
前記パンチングパネルには、その上下の両端にアングル状に形成された取付片と、前記フェンスの上下横桟に係止できるフック状の係止金具とよりなる取付手段が設けられ、該フェンスにセットしたパンチングパネルは、フェンスの上下の横桟に係止した係止金具に、取付片をネジ止めすることによって固定することを特徴とする請求項１乃至３のいずれか１項に記載のフェンス用パネル。
【請求項６】
前記既存のフェンスは、所定間隔で支柱が立設され、該支柱間の上方に上横桟が、下方に下横桟が架設され、該上下横桟間に適宜の間隔で縦桟が設けられた構成であり、
取付手段は、フェンス用パネルを構成するパンチングパネルの上下両端に、アングル状に形成された係止片と、フェンスの上下横桟に係止できるフック状の係止金具とで構成され、該係止金具は前記係止片を係止できる係止部を備え、
フェンス用パネルは、フェンスにセットし、上下横桟に係止した係止金具の係止部に、その係止片を係入することによって取り付けることを特徴とする請求項１乃至３のいずれか１項記載のフェンス用パネル。
【請求項７】
前記既存のフェンスは、所定間隔で支柱が立設され、該支柱間の上方に上横桟が、下方に下横桟が架設され、該上下横桟間に適宜の間隔で縦桟が設けられた構成であり、
取付手段は、フェンス用パネルを構成するパンチングパネルの上下両端に、アングル状に形成された係止片と、フェンスの上下横桟に係止できるアングル状の係止金具とで構成され、該係止金具は前記係止片を係止できる係止部を備え、
フェンス用パネルは、フェンスにセットし、上下横桟に係止した係止金具の係止部に、その係止片を係入することによって取り付けることを特徴とする請求項１乃至３のいずれか１項記載のフェンス用パネル。
【考案の詳細な説明】
【技術分野】
【０００１】
本考案は、フェンス、階段の手摺およびベランダの防護柵等（以下、これらを単にフェンスと総称する）に着脱可能なフェンス用パネルに関する。
【背景技術】
【０００２】
従来、所定間隔で支柱が立設され、該支柱間の上方に上横桟、下方に下横桟が架設され、この上下横桟間に縦桟が所定間隔で設けられたフェンスが提供されている。このフェンスは、単に縦格子のフェンスであるため、意匠的に劣り物足りないものとなっている。
そこで、これらの課題を解決したものとして、所定間隔で支柱が立設され、該支柱間の上方に上横桟、下方に下横桟が架設され、この上下横桟間に縦桟が所定間隔で設けられたフェンス本体の一部に、模様を表したパネルを配置したフェンスが提供された（例えば、特許文献１参照）。
【０００３】
このフェンスは、意匠的には向上したものであるがパネルに表示した模様（図柄）は、模様が描かれたシールを貼ったり、ペイントによって模様を描いて表示されているため、パネルの表裏両面から見えるようにするには、パネルの両面にシールを貼ったり、ペイントで描かなければならないので、手数がかかるし、パネルの中央部には孔が存在しないため、通気性や透光性が悪く、さらに、パネルの模様は剥がれるなどの課題がある。そこで、このような課題を解決するため、透孔によって図柄を形成したメタル製パネルを組み込んだフェンスとして、間隔をあけて立設された支柱と、該フェンス本体の一部に、透孔によって図柄を形成したメタル製パネルを組み込んだフェンスが提供されている（例えば、特許文献２参照）。
【先行技術文献】
【特許文献】
【０００４】
【特許文献１】特開平６−２６４４１９号公報
【特許文献２】特開平９−１１２０８１号公報
【考案の概要】
【考案が解決しようとする課題】
【０００５】
しかしながら、前記従来の（例えば、特許文献２に記載のような）フェンスは、透孔で図柄を形成したメタル製パネル（以下、パンチングパネルと称す）が取り付けられたフェンスとして構成されているため、パンチングパネルを有するフェンスとして新規に設置する場合には適しているが、既存のフェンスにパンチングパネルを取り付けて、パンチングパネルで装飾したフェンスとすることには不向きである。
かといってパンチングパネルの無い既存のフェンスをパンチングパネルが取り付けられたフェンスに取り替えるのでは、費用もかかり経済的負担も大きい。
本考案は、このような課題に鑑みて成されたものであり、その目的は、パンチングパネルを有しない既存のフェンスに取り付けて、パンチングパネルの無いフェンスを、パンチングパネルで装飾したフェンスとすることができるフェンス用パネルを提供することにある。
【課題を解決するための手段】
【０００６】
前記目的を達成するため、本考案の請求項１に係るフェンス用パネルは、既存のフェンスに取付可能なメタル製パネルであって、該メタル製パネルは透孔によって図柄が形成されたパンチングパネルで、フェンスに取り付ける取付手段を備えることを特徴とする。
【０００７】
この構成により、フェンス用パネルは、取付手段によりフェンスに容易に取り付けることができる。また、フェンス用パネルは、メタル製パネルに透孔によって図柄を形成したパンチングパネルで構成されている。従って、既存のパネルが存在しないフェンスに、メタル製パネルに透孔によって図柄を形成したパンチングパネルを取り付けて装飾することができる。
さらに、フェンス用パネルは、メタル製パネルに透孔によって図柄が形成されたパンチングパネルであるので、図柄を形成した透孔によって通気性、採光性も良好であるし、透孔によって図柄は、種々に形成できるので、意匠的効果も向上するし、使用する場所に対応して適宜選択できる。透孔によって形成する図柄としては、例えば、円状、角状、ハート状および花びら状等の透孔の配列で模様を形成したものや、動物、植物、建造物、等を模した透孔で図柄を形成したもの、等を挙げることができる。
なお、使用されているフェンスの場所によっては、通風量を考慮しなければならない場合がある。その場合は、図柄を形成する透孔の数や大きさ及び設ける位置を変えることで対応する。また、採光も同様にして調整できる。
【０００８】
また、本考案の請求項２に係るフェンス用パネルは、前記既存のフェンスが、所定間隔で支柱が立設され、該支柱間の上方に上横桟が、下方に下横桟が架設され、該上下横桟間に適宜の間隔で縦桟が設けられた構成であり、
前記パンチングパネルには、左右の両端が略直角に折曲され、該フェンスに取り付けたとき該フェンスの縦桟の側面に当接して位置を保持する保持片に形成されていることを特徴とする。
【０００９】
この構成により、前記作用の他に既存のフェンスに取り付ける際に、取り付けるパネルの位置が定まるので、取り付けが容易となるし、パネルを取り付けた後は、パネルの位置が固定されて位置ずれが規制される。
【００１０】
また、本考案の請求項３に係るフェンス用パネルは、前記既存のフェンスが、所定間隔で支柱が立設され、該支柱間の上方に上横桟が、下方に下横桟が架設され、該上下横桟間に適宜の間隔で縦桟が設けられた構成であり、
前記パンチングパネルには、裏面に該フェンスに取り付けると該フェンスの縦桟に嵌合する凹条が、フェンスの縦桟に対応して縦方向に設けられていることを特徴とする。
【００１１】
この構成により、前記作用の他に、パネルにはフェンスの縦桟に嵌合する凹条が、フェンスの縦桟に対応して縦方向に設けられているので、パネルをフェンスに取り付けると、パネルの凹条がフェンスの縦桟に嵌合するので、パネルの位置が定まり取り付けが容易となるし、取り付け後は位置ずれが生じない。
また、パネルの凹条がフェンスの縦桟に嵌合するので、パネルのフェンスよりの突出量が吸収され、パネルを取り付けでもパネルがフェンス面より外出するのが少なくなる。
【００１２】
また、本考案の請求項４に係るフェンス用パネルは、前記既存のフェンスが、所定間隔で支柱が立設され、該支柱間の上方に上横桟が、下方に下横桟が架設され、該上下横桟間に適宜の間隔で縦桟が設けられた構成であり、
前記パンチングパネルには、その上下の両端に形成された固定片と、該固定片との間で前記フェンスの上下横桟を挟持する取付金具とよりなる取付手段が設けられ、パンチングパネルは、固定片を前記フェンスの上下横桟に位置させてフェンスにセットし、取付金具との間にフェンスの上下横桟を位置させ、固定片に取付金具をネジ止めすることによって上下横桟にパンチングパネルを固定することを特徴とする
【００１３】
この構成により前記作用の他に、パネルは上端の固定片をフェンスの上横桟に位置させ、下端の固定片をフェンスの下横桟に位置させてフェンスにセットし、上端の固定片との間では上横桟を、下端の固定片との間では下横桟を、挟持するよう取付金具を取り付け、それぞれの固定片にそれぞれの取付金具をネジ止めすることによって、上下横桟にパネルを固定して、フェンスに容易に取り付けることができる。この時の固定片と取付金具は、上下横桟の形状に対応した形状とすると、固定片と取付金具とで、上下横桟を抱持する格好になるので好ましい。
【００１４】
さらに、本考案の請求項５に係るフェンス用パネルは、前記既存のフェンスが、所定間隔で支柱が立設され、該支柱間の上方に上横桟が、下方に下横桟が架設され、該上下横桟間に適宜の間隔で縦桟が設けられた構成であり、
前記パンチングパネルには、その上下の両端にアングル状に形成された取付片と、前記フェンスの上下横桟に係止できるフック状の係止金具とよりなる取付手段が設けられ、該フェンスにセットしたパンチングパネルは、フェンスの上下の横桟に係止した係止金具に、取付片をネジ止めすることによって固定することを特徴とする。
【００１５】
この構成により前記作用の他に、フェンスの上下横桟に係止金具を係止して取付け、パネルをフェンスにセットしたら、フェンスの上下横桟に係止した係止金具に、パネルの取付片をネジ止めすることによって固定し、フェンスにパネルを容易に取り付けることができる。
【００１６】
また、本考案の請求項６に係るフェンス用パネルは、前記既存のフェンスが、所定間隔で支柱が立設され、該支柱間の上方に上横桟が、下方に下横桟が架設され、該上下横桟間に適宜の間隔で縦桟が設けられた構成であり、
取付手段は、フェンス用パネルを構成するパンチングパネルの上下両端に、アングル状に形成された係止片と、フェンスの上下横桟に係止できるフック状の係止金具とで構成され、該係止金具は前記係止片を係止できる係止部を備え、
フェンス用パネルは、フェンスにセットし、上下横桟に係止した係止金具の係止部に、その係止片を係入することによって取り付けることを特徴とする。
【００１７】
また、本考案の請求項７に係るフェンス用パネルは、前記既存のフェンスが、所定間隔で支柱が立設され、該支柱間の上方に上横桟が、下方に下横桟が架設され、該上下横桟間に適宜の間隔で縦桟が設けられた構成であり、
取付手段は、フェンス用パネルを構成するパンチングパネルの上下両端に、アングル状に形成された係止片と、フェンスの上下横桟に係止できるアングル状の係止金具とで構成され、該係止金具は前記係止片を係止できる係止部を備え、
フェンス用パネルは、フェンスにセットし、上下横桟に係止した係止金具の係止部に、その係止片を係入することによって取り付けることを特徴とする。
【００１８】
この請求項６および７の構成により、フェンスにセットしたフェンス用パネルは、上下横桟に係止した係止金具の係止部に、パネルの係止片を係入するだけで、容易にフェンスに取り付けることができる。
【考案の効果】
【００１９】
本考案のフェンス用パネルによれば、次のような効果を奏する。
（１）フェンス用パネルは、取付手段によりフェンスに容易に取り付けることができる。
（２）フェンス用パネルは、メタル製パネルに透孔によって図柄を形成したパンチングパネルであるので、図柄を形成した透孔によって通風性、採光性も良好である。
（３）透孔によって図柄は種々に形成できるので、意匠的効果を向上できるし、使用する場所に対応して図柄を適宜選択して、使用場所に適合させることができる。
（４）通風量や採光状態は、図柄を形成する透孔の数や大きさおよび設ける位置を変えることで対応できる。
【００２０】
（５）既存のフェンスに取り付ける際に、取り付けるパネルの位置が定まるので、取り付けが容易となるし、パネルをフェンスに取り付けた後は、パネルの位置が固定され位置ずれが規制されるので、位置ずれが生じない。
（６）パネルの凹条がフェンスの縦桟に嵌合するので、パネルのフェンスよりの突出量が吸収され、パネルがフェンス面より外出するのが少なくなる。
【図面の簡単な説明】
【００２１】
【図１】本考案の実施の形態を示す斜視図である。
【図２】図１に示す実施の形態の変形例（ａ）（ｂ）を示す要部斜視図である。
【図３】本考案の他の実施の形態を示す斜視図である。
【図４】本考案の第１の取付手段を示す斜視図である。
【図５】本考案の第２の取付手段を示す斜視図である。
【図６】図５に示す取付手段の変形例を示す斜視図である。
【図７】本考案の第３の取付手段を示す斜視図（ａ）および断面図（ｂ）である。
【図８】図７に示す取付手段の変形例を示す斜視図である。
【図９】本考案の第４の取付手段を示す斜視図である。
【図１０】本考案に係るパネルを例示（ａ）（ｂ）する要部正面図である。
【図１１】本考案の取付状態を説明する正面図（ａ）（ｂ）（ｃ）である。
【考案を実施するための形態】
【００２２】
以下、本考案の実施の形態に係るフェンス用パネルについて、図面を参照して詳細に説明する。
本考案に係るフェンス用パネル１は、図１に示すように既存のフェンス２０に取付可能なメタル製パネルであって、該メタル製パネルは透孔４によって図柄３が形成されたパンチングパネル２で、フェンス２０に取り付ける取付手段７、７Ａ、７Ｂ、７Ｃ、７Ｄ（図４乃至図９参照）を備えて大略構成されている。透孔４で形成する図柄３は、円状、角状、ハート状および花びら状、等の透孔４の配列で模様を形成したり、動物、植物、建造物、等を模した透孔で図柄を形成することを例示できる。
【００２３】
フェンス用パネル１は、フェンス２０に取付けるとフェンスの構成部分となるので、パネル１の図柄３は、フェンス２０の意匠的効果を向上させる。従って、パネル１は使用する場所に対応して図柄３を適宜選択し、使用場所に対し図柄３が適合するパネル１を使用するのが好ましい。また、フェンス用パネル１は、フェンス２０に取り付けるとフェンスの構成部分となるので、通風性や採光性も考慮しなければならない。従って、通風性や採光性は、図柄３を形成する透孔４の数や大きさ及び図柄３を設ける位置、等を変えることで、また、パネル１を設ける位置や数、間隔を調整することで、使用場所に対応して最適化するのが望ましい。
【００２４】
例えば、図２（ａ）（ｂ）では図柄３を設ける位置を変えた場合を示しており、図１０（ａ）（ｂ）では、図柄３を変えた場合を示しており、また、図１１（ａ）（ｂ）（ｃ）では、設けるパネル１の大きさを変えた場合を示している。このパネル１の大きさは、１枚でパネル１の大きさを調整しても、複数のパネル１を連結してパネル１の大きさを調整してもよい。これにより通風性や採光性を調整できるし、フェンス２０の意匠的効果も変化させることができる。
【００２５】
図１に示すフェンス用パネル１は、裏面にフェンス２０に取り付けると該フェンス２０の縦桟２４に嵌合する凹条５が、該フェンス２０の縦桟２４に対応して設けられている。例えば、フェンス２０は、図１に示すように基礎２５に支柱２１が所定間隔で立設され、
該支柱２１、２１間の上方に上横桟２２が、下方に下横桟２３が架設され、この上下横桟２２、２３間に所定の間隔で縦桟２４が設けられており、フェンス用パネル１を構成するパンチングパネル２には、裏面に該フェンス２０に取り付けると該フェンス２０の縦桟２４に嵌合する凹条５が、フェンス２０の縦桟２４に対応して縦方向に設けられている。この凹条５は必ずしも必要ではないが、凹条５を設けると、パネル１をフェンス２０に取り付けると、パネル１の凹条５がフェンス２０の縦桟２４に嵌合するので、パネル１の位置が定まり取付けが容易となるし、取り付け後は位置ずれが防止され、また、パネル１のフェンス２０よりの突出量が吸収され、パネル１を取り付けてもフェンス２０の面より外出するのが少なくなるので好ましい。
【００２６】
フェンス用パネル１を構成するパンチングパネル２は、平坦状、湾曲状（円弧状）および波形、等を例示できる。図１、図２（ａ）、図１０（ａ）（ｂ）では、パンチングパネル２が平坦状の場合を示しており、図２（ｂ）では、凹条５と凹条５との間が湾曲状（円弧状）の場合を示している。使用するパンチングパネル２の形状によっても、意匠的効果は変化するので、使用場所に対応して適宜選択するのが好ましい。
【００２７】
図３は、本考案の他の実施の形態を示すフェンス用パネルの斜視図である。この実施の形態は、フェンス用パネル１を構成するパンチングパネル２の左右の両端が略直角に折曲され、フェンス２０に取り付けたとき該フェンス２０の縦桟２４の側面に当接して位置を保持する保持片６に形成されている場合であり、他は前記実施の形態と同様であるので、同様な構成要素には同一符号を付してある。
この実施の形態のフェンス用パネル１によれば、フェンス２０に取り付ける際に、保持片６が縦桟２４に当接して位置が規制されるので、取り付けるパネル１の位置が定まり取り付けが容易となるし、パネル１をフェンス２０に取り付けた後は、位置ずれが防止される。
【００２８】
図１、図２（ａ）（ｂ）、図３、図１０（ａ）（ｂ）および図１１（ａ）（ｂ）（ｃ）では、フェンス用パネル１をフェンス２０に取り付ける取付手段は省略して示しているが、この取付手段の一例を図４乃至図９について説明する。
まず、図４は本考案の第１の取付手段を示す斜視図である。本例の取付手段７は、フェンス用パネル１を構成するパンチングパネル２の上下の両端に切り込みにより折曲げた固定片８と、該固定片８との間でフェンス２０の上下横桟２２、２３を挟持する取付金具９とで構成されている。これによりフェンス用パネル１を構成するパンチングパネル２は、上下の固定片８、８をフェンス２０の上下横桟２２、２３に位置させてフェンス２０にセットし、取付金具９は固定片８との間で上下横桟２２、２３を挟持するように位置させ、固定片８に取付金具９をネジ止めすることによって上下横桟２２、２３にパンチングパネル２を固定する。これによりフェンス用パネル１はフェンス２０に取り付けることができる。この固定片８と固定金具９は、上下横桟２２、２３の形状に対応した形状とすると、固定片８と取付金具９とで、上下横桟を抱持する格好となるので好ましい。図４では上下横桟２２、２３は断面四角形なので、それに対応しアングル状となっている。
【００２９】
次に、図５は、本考案の第２の取付手段を示す斜視図である。本例の取付手段７Ａは、フェンス用パネル１を構成するパンチングパネル２の上下の両端に、アングル状に形成された取付片１１ａと、フェンス２０の上下横桟２２、２３に係止できるフック状の係止金具１２ａとで構成されている。図５に示すフェンス２０の上下横桟２２、２３は、円筒状であるので、係止金具１２ａのフック状は、半円状となっている。これによりフェンス２０の上下横桟２２、２３に係止金具１２ａを係止して取り付けたら、フェンス２０にフェンス用パネル１を構成するパンチングパネル２をセットし、上下横桟２２、２３に係止した係止金具１２ａに、その取付片１１ａをネジ１０止めすることによって固定して取り付けることができる。
図６は、図５に示す取付手段７ａの変形例を示し、本例は図５に示す係止金具１２ａを複数、例えば、２個とした場合であり、他は図５と同様である。
【００３０】
図７は、本考案の第３の取付手段を示す斜視図である。本例の取付手段７Ｂは、フェンス用パネル１を構成するパンチングパネル２の上下の両端に、アングル状に形成された係止片１１ｂと、フェンス２０の上下横桟２２、２３に係止できるフック状の係止金具１２ｂとで構成されている。本例の係止金具１２ｂは、前記係止片１１ｂを係止できる係止部１３ｂを備えている。図５に示すフェンス２０の上下横桟２２、２３は円筒状であるので、係止金具１２ｂのフック状は、半円状となっており、これにより係止金具１２ｂは、フェンス２０の上下横桟２２、２３には、略合致して嵌合し係止することができる。しかして、フェンス用パネル１は、フェンス２０にセットし、上下横桟２２、２３に係止した係止金具１２ｂの係止部１３ｂに、その係止片１１ｂを係入することによって取り付けることができる。図７（ｂ）は、フェンス用パネル１をフェンス２０に取り付けた状態を断面で示しており、この状態がよく理解できる。
【００３１】
図８は、図７に示す取付手段の変形例を示す斜視図である。本例の取付手段７Ｃは、フェンス２０の上下横桟２２、２３が角筒状であるので、係止金具１２ｃのフック状は、この係止金具１２ｃに略合致して嵌合し係止できるようにアングル状になっているものであり、他は図７と同様である。即ち、図８に示す取付手段７Ｃは、フェンス用パネル１を構成するパンチングパネル２の上下の両端にアングル状に形成された係止片１１ｃと、フェンス２０の上下横桟２２、２３に係止できるアングル状の係止金具１２ｃとで構成されており、該係止金具１２ｃは、前記係止片１１ｃを係止できる係止部１３ｃを備えている。しかして、フェンス用パネル１をフェンス２０にセットし、上下横桟２２、２３に係止金具１２を係止し、この係止金具１２ｃの係止部１３ｃに、セットしたフェンス用パネル１の係止片１１ｃを係入することによって取り付けることができる。
【００３２】
図９は、本考案の第４の取付手段を示す斜視図である。本例の取付手段７Ｄは、図８に示す取付手段７Ｃを変形したものであり、図８に示す係止金具１２ｃの形状を変形したものである。即ち、図９に示す本例の取付手段７Ｄは、フェンス用パネル１を構成するパンチングパネル２の上下の両端にアングル状に形成された係止片１１ｄと、フェンス２０の上下横桟２２、２３に係止できるアングル状の係止金具１２ｄとで構成されており、該係止金具１２ｄは、前記係止片１１ｄを係止できる係止部１３ｄを備えている。本例の係止金具１２ｄは、図８に示す係止金具１２ｃとは、アングル状の形状および係止部１３ｄの形状を変形している。しかして、フェンス用パネル１をフェンス２０にセットし、上下横桟２２、２３に係止金具１２ｄを係止し、その係止金具１２ｄの係止部１３ｄに、セットしたフェンス用パネル１の係止片１１ｄを係入することによって取り付けることができる
このように図４乃至図９に示す取付手段７、７Ａ、７Ｂ、７Ｃ、７Ｄによれば、フェンス用パネル１をフェンス２０に容易に取り付けることができる。
【産業上の利用可能性】
【００３３】
本考案のフェンス用パネルは、既存のフェンスに取り付けてフェンスを装飾するのに適しており、通常のフェンス、階段の手摺およびベランダの防護柵、等に適用して有用である。
【符号の説明】
【００３４】
１  フェンス用パネル
２  パンチングパネル
３  図柄
４  透孔
５  凹条
６  保持片
７、７Ａ、７Ｂ、７Ｃ、７Ｄ  取付手段
８  固定片
９  取付金具
１０  ネジ
１１ａ  取付片
１１ｂ、１１ｃ、１１ｄ  係止片
１２ａ、１２ｂ、１２ｃ、１２ｄ  係止金具
１３ｂ、１３ｃ、１３ｄ  係止部
２０  フェンス
２１  支柱
２２  上横桟
２３  下横桟
２４  縦桟
【図１】
0003167290.tif 000003
【図２】
0003167290.tif 000004
【図３】
0003167290.tif 000005
【図４】
0003167290.tif 000006
【図５】
0003167290.tif 000007
【図６】
0003167290.tif 000008
【図７】
0003167290.tif 000009
【図８】
0003167290.tif 000010
【図９】
0003167290.tif 000011
【図１０】
0003167290.tif 000012
【図１１】
0003167290.tif 000013